(57)【要約】【課題】導電パターンが視認されにくい透明配線板及びこれを用いた入力装置を提供すること。【解決手段】絶縁性を有する透明基体２、及び、導電性を有する金属繊維からなり透明基体２内に配設された網状部材、を備える透明導電膜１２、２２と、シート状をなし、少なくともその厚さ方向を向く一方の面に透明導電膜１２、２２が設けられた基材と、を備えた透明配線板であって、透明基体２には、網状部材が配置される導電部と、網状部材が部分的に除去されることにより、金属繊維４ａ同士が絶縁されるように配置された絶縁部Ｉと、が設けられ、絶縁部Ｉの金属繊維４ａは、所定方向に沿うように延びていることを特徴とする。【選択図】図３
2013097996.tif 000002
【特許請求の範囲】
【請求項１】
絶縁性を有する透明基体、及び、導電性を有する金属繊維からなり前記透明基体内に配設された網状部材、を備える透明導電膜と、
シート状をなし、少なくともその厚さ方向を向く一方の面に前記透明導電膜が設けられた基材と、を備えた透明配線板であって、
前記透明基体には、
前記網状部材が配置される導電部と、
前記網状部材が部分的に除去されることにより、前記金属繊維同士が絶縁されるように配置された絶縁部と、が設けられ、
前記絶縁部の前記金属繊維は、所定方向に沿うように延びていることを特徴とする透明配線板。
【請求項２】
請求項１に記載の透明配線板であって、
前記絶縁部の前記金属繊維が、前記透明導電膜に外部から照射される光線の入射方向に対して、垂直となるように延びていることを特徴とする透明配線板。
【請求項３】
請求項１又は２に記載の透明配線板であって、
前記金属繊維は、銀を主成分としていることを特徴とする透明配線板。
【請求項４】
請求項１〜３のいずれか一項に記載の透明配線板であって、
前記絶縁部には、前記透明基体が溶けることなく、前記所定方向に延びる金属繊維以外の金属繊維が除去されて形成された空隙が配置されていることを特徴とする透明配線板。
【請求項５】
請求項１〜４のいずれか一項に記載の透明配線板を、厚さ方向に積層するように一対備えた入力部材と、
前記透明導電膜に電気的に接続され、入力信号を検出する検出手段と、を備えたことを特徴とする入力装置。
【請求項６】
請求項５に記載の入力装置であって、
前記絶縁部の前記金属繊維が、水平方向に沿うように延びていることを特徴とする入力装置。
【発明の詳細な説明】
【技術分野】
【０００１】
本発明は、タッチパネル、プラズマディスプレイの電磁波シールド等、画像表示装置の前面に設けられる透明配線板及びこれを用いた入力装置に関するものである。
【背景技術】
【０００２】
タッチパネルにおいては、液晶ディスプレイ等の画像表示装置の前面に、電極シートとして、透明な絶縁基板（基材）の表面に透明導電層（透明導電膜）を形成した透明配線板を有する入力装置が設置されている。
入力装置の透明配線板の透明導電層を構成する材料としては、錫ドープ酸化インジウム（ＩＴＯ）やポリエチレンジオキシチオフェン−ポリスチレンスルホン酸に代表されるπ共役系導電性高分子（有機導電体）が広く知られている。
【０００３】
ところで、タッチパネル用入力装置に使用される透明配線板においては、回路パターンやアンテナアレイパターンを形成することがある。
パターンの形成方法としては、例えば、特許文献１には、透明基材の表面の全面に、塗工により透明導電層を形成した後、ＣＯ２レーザやＱスイッチを利用したパルス幅１００ｎ秒程度のＹＡＧレーザを照射して、絶縁にする部分の透明導電層をアブレーションにより除去する方法が開示されている。
特許文献２、３には、スクリーン印刷法やグラビア印刷法等の印刷により透明基材の表面に導電部を所定のパターンで形成する方法が開示されている。
特許文献４には、透明基材の表面の全面に、塗工により透明導電層を形成した後、プラズマエッチングにより、絶縁にする部分の透明導電層を除去する方法が開示されている。
特許文献５には、バインダ（樹脂）中に金属ナノワイヤ（金属極細繊維）を分散させ硬化してなる透明導電膜に、レーザを照射して絶縁化し、導電パターン（配線パターン）を形成する技術が開示されている。尚、透明導電膜から外部へ突出した金属ナノワイヤはレーザで除去することとしている。
特許文献６には、タッチパネル用ＩＴＯ蒸着基板に対して紫外線レーザを使用し、ビーム径とレンズの焦点距離を制御し、集光エリア内の加工幅を制御することで１０μｍ程度の微細なアブレーションにより微細パターンを形成する技術が開示されている。
【先行技術文献】
【特許文献】
【０００４】
【特許文献１】特開２００４−１１８３８１号公報
【特許文献２】特開２００５−５２７０４８号公報
【特許文献３】特開２００８−３０００６３号公報
【特許文献４】特開２００９−２６６３９号公報
【特許文献５】特開２０１０−４４９６８号公報
【特許文献６】特開２００８−９１１１６号公報
【発明の概要】
【発明が解決しようとする課題】
【０００５】
一般に、上記有機導電体は緑〜青に、ＩＴＯは薄い黄に着色している。そのため、特許文献１〜４の方法で絶縁基板上に導電パターンを形成すると、導電部は各導電膜を形成する導電体固有の有色、絶縁基板のみの絶縁部は無色になる。したがって、得られた透明配線板を入力装置に用いて画像表示装置の前面に設置した際には、絶縁部の幅（絶縁部の延在方向に垂直な幅寸法）を僅少にしなければ、導電パターンが視認されてしまうという問題が生じた。
【０００６】
また、特許文献６においては、加工に高次高調波を利用した紫外線レーザを使用する必要があり、また、アブレーション領域の幅を制御する目的で、レーザビーム径やズームレンズ焦点距離を調整するため、市販のレーザ加工機では対応が難しいという問題がある。
【０００７】
その一方、特許文献５においては、加工を複雑にし過ぎることなく、視認されにくい導電パターンを形成できるという利点を有している。
しかしながら、得られた透明配線板においては、バックライト等の透過光（透明配線板の裏面から照射される光線、図８を参照）や、透明配線板に対して外部から垂直に（つまり透明配線板の厚さ方向に）照射される光線（透明配線板の表面から照射される光線、図９を参照）に対しては、導電パターンが視認されにくいものの、例えば図１０に示されるように、透明配線板の厚さ方向に対して傾斜する方向から光線が照射された場合に、導電パターンが視認される問題があった。尚、図１０において、黒っぽく（暗く）見える右側領域が導電パターンの絶縁部、白っぽく（明るく）見える左側領域が導電パターンの導電部である。
【０００８】
具体的には、例えばこの透明配線板がタッチパネルに用いられ、該パネルの厚さ方向が水平方向を向くように操作者に対面して使用される場合において、タッチパネルのバックライトが点灯していない状態では、天井照明等の鉛直方向からの光線（つまり立設されたタッチパネルに対して斜め上方から照射される光線）によって、タッチパネルの導電パターンが視認されやすかった。
【０００９】
本発明は、このような事情に鑑みてなされたものであり、導電パターンが視認されにくい透明配線板及びこれを用いた入力装置を提供することを目的としている。
【課題を解決するための手段】
【００１０】
前記目的を達成するために、本発明は以下の手段を提案している。
すなわち本発明は、絶縁性を有する透明基体、及び、導電性を有する金属繊維からなり前記透明基体内に配設された網状部材、を備える透明導電膜と、シート状をなし、少なくともその厚さ方向を向く一方の面に前記透明導電膜が設けられた基材と、を備えた透明配線板であって、前記透明基体には、前記網状部材が配置される導電部と、前記網状部材が部分的に除去されることにより、前記金属繊維同士が絶縁されるように配置された絶縁部と、が設けられ、前記絶縁部の前記金属繊維は、所定方向に沿うように延びていることを特徴とする。
【００１１】
また、本発明に係る透明配線板において、前記絶縁部の前記金属繊維が、前記透明導電膜に外部から照射される光線の入射方向に対して、垂直となるように延びていることとしてもよい。
【００１２】
また、本発明に係る透明配線板において、前記金属繊維は、銀を主成分としていることとしてもよい。
【００１３】
また、本発明に係る透明配線板において、前記絶縁部には、前記透明基体が溶けることなく、前記所定方向に延びる金属繊維以外の金属繊維が除去されて形成された空隙が配置されていることとしてもよい。
【００１４】
また、本発明に係る入力装置は、前述した透明配線板を、厚さ方向に積層するように一対備えた入力部材と、前記透明導電膜に電気的に接続され、入力信号を検出する検出手段と、を備えたことを特徴としている。
【００１５】
また、本発明に係る入力装置において、前記絶縁部の前記金属繊維が、水平方向に沿うように延びていることとしてもよい。
【発明の効果】
【００１６】
本発明に係る透明配線板及びこれを用いた入力装置によれば、導電パターンが視認されにくい。
【図面の簡単な説明】
【００１７】
【図１】本発明の一実施形態に係る入力装置の入力部材を簡略化して示す側断面図である。
【図２】本発明の一実施形態に係る入力装置に用いられる透明配線板の透明導電膜の網状部材（導電部）及びレーザ加工前の透明導電層を説明する部分拡大写真である。
【図３】本発明の一実施形態に係る入力装置に用いられる透明配線板の透明導電膜において、網状部材が部分的に除去されることにより形成された空隙（絶縁部）及び残存する金属極細繊維を説明する部分拡大写真である。
【図４】本発明の一実施形態に係る入力装置の透明配線板を製造する製造装置（レーザ加工機）を簡略化して示す側面図である。
【図５】図４の透明配線板及び製造装置の変形例を示す側面図である。
【図６】透明基体を溶かすことなく、網状部材の金属極細繊維を全て除去して空隙とした、本発明の参考例としての絶縁部を説明する部分拡大写真である。
【図７】本発明に係る入力装置の入力部材（透明導電膜及び透明配線板）を説明する斜視図である。
【図８】従来の透明配線板を用いたタッチパネルの裏面から、バックライトを照射した状態を示す部分拡大写真である。
【図９】従来の透明配線板を用いたタッチパネルの表面から、該パネルの厚さ方向に沿って入射するように外部光線を照射した状態を示す部分拡大写真である。
【図１０】従来の透明配線板を用いたタッチパネルの表面から、該パネルの厚さ方向に対して傾斜して入射するように外部光線を照射した状態を示す部分拡大写真である。
【発明を実施するための形態】
【００１８】
本発明の透明配線板（導電パターン形成基板）及びこれを用いた入力装置は、例えば、透明アンテナ、透明電磁波シールド、静電容量方式或いはメンブレン式の透明タッチパネルなどの透明入力装置のように、透明部分に配線パターンを形成する製品に適用することができる。また、本発明の透明配線板及びこれを用いた入力装置は、自動車のハンドル等に付随する静電容量入力装置など、３次元成型品、或いは３次元の加飾成型品の表面に設けられる静電容量センサ等に必要な電極を形成する目的で用いることができる。
尚、本実施形態でいう「透明」とは、５０％以上の光線透過率を有するものを指す。
【００１９】
図１及び図７は、本発明の一実施形態に係るメンブレン式タッチパネル（入力装置）用の入力部材１を示している。図１〜図３において、このメンブレン式タッチパネルは、透明配線板１０、２０を、厚さ方向に積層するように一対備えた入力部材１と、透明配線板１０、２０の透明導電膜１２、２２に電気的に接続され、入力信号を検出する検出手段（不図示）と、を備えている。検出手段としては、例えばインターフェイス回路を用いることができる。この入力装置は、抵抗膜式のタッチパネルである。
また、透明配線板１０、２０は、絶縁性を有する透明基体２、及び、導電性を有する金属極細繊維（金属繊維）４からなり透明基体２内に配設された網状部材３、を備える透明導電膜１２、２２と、シート状をなし、少なくともその厚さ方向を向く一方の面に透明導電膜１２、２２が設けられた絶縁基板（基材）１１、２１と、を備えている。
【００２０】
入力部材１は、ＬＣＤなどの画像表示装置（不図示）の入力者側に設置されるものである。図７において、入力部材１は、例えば、行（Ｘ）方向に沿う電極１００（透明導電膜１２の後述する導電部Ｃに相当）が並列配置された透明配線板１０と、この透明配線板１０に対向するように画像表示装置側に配置され、行（Ｘ）方向に直交する列（Ｙ）方向に沿う電極（透明導電膜２２の導電部Ｃに相当）が並列配置された透明配線板２０と、これらの間に設けられた透明なドットスペーサ３０とを備えている。また、図７に符号１０１で示されるものは、例えばＡｇペーストをスクリーン印刷してなる引き出しパターンである。透明配線板１０（２０）において隣り合う電極１００同士は、後述するレーザ加工により互いに絶縁されている。
そして、入力部材１は、操作者の入力操作により、透明配線板１０の電極１００と透明配線板２０の電極とが直流的に接触・導通する構成とされている。
【００２１】
図１において、透明配線板１０は、透明な絶縁基板１１と、絶縁基板１１において少なくとも画像表示装置側を向く面に設けられた透明導電膜１２と、を備えている。
透明配線板２０は、透明な絶縁基板２１と、絶縁基板２１において少なくとも入力者側を向く面に設けられた透明導電膜２２と、を備えている。
【００２２】
絶縁基板１１、２１としては、絶縁性を有するとともに、表面に透明導電膜１２、２２を形成でき、かつ、後述するレーザ加工に対して、所定の照射条件において外観変化の生じにくいものを用いることが好ましい。具体的には、例えば、ガラス、ポリカーボネート、ポリエチレンテレフタレート（ＰＥＴ）を代表とするポリエステル、アクリロニトリル・ブタジエン・スチレン共重合樹脂（ＡＢＳ樹脂）などの絶縁性材料が挙げられる。また、シート状をなす絶縁基板１１、２１とは、板状のもの、可撓性を有するフィルム状のもの、立体的（３次元）に成型された成型品等を含んでいる。
【００２３】
この入力部材１を透明タッチパネルに使用する場合、絶縁基板１１、２１には、ガラス板やＰＥＴフィルム等が用いられる。また、入力部材１を、自動車のハンドル等に付随する静電容量入力装置など、静電容量センサ等に必要な電極として使用する場合、絶縁基板１１、２１には、ＡＢＳ樹脂などからなる成型品、或いはこれにフィルムのラミネートや転写などで加飾層を設けた加飾成型品等が用いられる。
【００２４】
例えば、本発明を、本実施形態のように、押圧により上下（前後）２枚の電極膜（透明導電膜）１２、２２を接触導通させるメンブレン入力などの透明タッチパネルとして利用する場合、入力者側の絶縁基板１１としては、入力者側からの外力に対して可撓しやすいもの（例えば透明樹脂フィルム）を用いることが好ましく、画像表示装置側の絶縁基板２１としては、ドットスペーサ３０を介して透明配線板１０を支持しやすい所定以上（例えば絶縁基板１１と同等以上）の硬度を有するものを用いることが好ましい。また、このようなタッチパネルでは、隣接する電極１００間に一定の電位差を設けて使用することが必須であり、銅や亜鉛、スズ、特に銀などの金属を用いた透明導電膜１２、２２では、マイグレーション防止のため、導電パターンを区分する絶縁部の幅（絶縁部の延在方向に垂直な幅寸法）を確保することが好ましい。
【００２５】
また、一対の透明配線板１０、２０の透明導電膜１２、２２同士は、互いに接近した状態とされつつもドットスペーサ３０により間隔をあけられて対向配置されている。そして、透明配線板１０が入力者側から画像表示装置側へ向けて押圧された際に、該透明配線板１０の絶縁基板１１及び透明導電膜１２が撓むとともに、該透明導電膜１２が透明配線板２０の透明導電膜２２に接触可能とされている。この接触により、電気的信号が生じるように構成されている。すなわち、入力部材１は、入力者の入力操作によって、透明導電膜１２、２２の一部同士が直流的に接触可能とされている。
【００２６】
また、図２に示すように、透明導電膜１２、２２は、絶縁性の基相である透明基体２と、導電性を有する複数の極細金属繊維４同士が互いに接触（連結）した状態で透明基体２内に固定されてなる網状部材３と、を備えている。透明基体２は、液状の状態において後述する網状部材３の素線（繊維）間に充填（含浸）可能とされた、例えば、熱、紫外線、電子線、放射線等により硬化する性質の硬化性樹脂からなる。
【００２７】
また、網状部材３は、透明基体２内に分散されて互いに電気的に連結された複数の金属極細繊維４からなる。詳しくは、これら金属極細繊維４同士は、絶縁基板１１、２１の表面（透明導電膜１２、２２が形成される面）の面方向に沿って互いに異なる向きに不規則に延在しているとともに、その少なくとも一部以上が互いに重なり合う（接触し合う）程度に密集して配置されており、このような配置によって互いに電気的に連結（接続）されている。
【００２８】
すなわち、網状部材３は、絶縁基板１１、２１の表面上において、面状（本実施形態では絶縁基板１１、２１の形状に対応する平面状。尚、絶縁基板の形状に対応して、平面状以外の曲面状等であってもよい）に拡がるように形成されているとともに、導電性の２次元ネットワークを構成しており、透明導電膜１２、２２の透明基体２内において網状部材３が配置された領域は、導電部Ｃとされている。また、網状部材３の金属極細繊維４は、透明基体２内に埋設される部分と、該透明基体２の表面から突出される部分とを有している。
【００２９】
具体的に、このような金属極細繊維４としては、銅、白金、金、銀、ニッケル等からなる金属ナノワイヤや金属ナノチューブが挙げられる。本実施形態においては、金属極細繊維４として、銀を主成分とする金属ナノワイヤ（銀ナノワイヤ）が用いられている。金属極細繊維４は、例えばその直径が０．３〜１００ｎｍ程度、長さが１μｍ〜１００μｍ程度に形成されている。
【００３０】
尚、網状部材３として、前述した金属極細繊維４以外の、シリコンナノワイヤやシリコンナノチューブ、金属酸化物ナノチューブ、カーボンナノチューブ、カーボンナノファイバー、グラファイトフィブリル等の繊維状部材（金属極細繊維）が用いられるとともに、これらが分散・連結されて構成されていても構わない。
【００３１】
そして、図３に示されるように、透明導電膜１２、２２の透明基体２内において、網状部材３が部分的に除去されることにより、金属極細繊維４同士が絶縁されるように配置された領域が、絶縁部Ｉとされている。すなわち、透明基体２の絶縁部Ｉにおいて、レーザ加工等により除去されずに残存する金属極細繊維４ａは、互いに離間されて所定方向に沿うように延びており、図示の例では、これら金属極細繊維４ａは、水平方向（図３における左右方向）に配向するように延びている。
【００３２】
また、絶縁部Ｉには、透明基体２が溶けることなく、前記所定方向に延びる金属極細繊維４ａ以外の金属極細繊維４が除去されて形成された空隙５が複数配置されている。詳しくは、これら空隙５は、網状部材３の金属極細繊維４が配置される領域にパルス状レーザを照射して、金属極細繊維４ａ以外の金属極細繊維４を蒸発・除去することにより形成されており、さらに該パルス状レーザを、直線偏光、円偏光及び楕円偏光のいずれかとすることで、前記所定方向に配向した金属極細繊維４ａが、透明基体２内に確実に残存するよう調整することが可能である。尚、レーザ偏光については、直線偏光及び楕円偏光のいずれかであることがより好ましい。
【００３３】
このパルス状レーザの発振器としては、パルス幅が５〜３００ｎ秒程度の、加工機として一般に広く使用されているＹＡＧレーザ又はＹＶＯ４レーザにおいて、円偏光を得るための１／４λの波長板を除外したものが使用できるほか、特に簡便には、市販の円偏光のレーザ加工機において、１／４λの波長板を挿入（配設）することも可能である。また、パルス幅３０ｐ秒未満の極短パルスレーザ、特に１ｐ秒未満のフェムト秒レーザを用いることで、特にレーザ照射エリアが目立たない、外観に優れた透明配線板１０、２０を得ることができる。
【００３４】
また、絶縁部Ｉの空隙５は、透明基体２の表面（露出された面）の面方向のうち、前記所定方向以外の方向に延在又は点在する長穴状（長丸穴状）又は穴状（丸穴状）をそれぞれなしており、前記表面に開口する部分を有して形成されている。詳しくは、空隙５は、蒸発・除去された金属極細繊維４の配置されていた位置に対応するように配置されているとともに、該金属極細繊維４の直径と略同等の直径（内径）を有し、該金属極細繊維４の長さ以下に形成されている。
【００３５】
より詳しくは、１つの金属極細繊維４（ここで言う金属極細繊維４は、金属極細繊維４ａ以外の金属極細繊維４を指す）が完全に蒸発・除去されるか、少なくとも一部が蒸発・除去されることにより、該金属極細繊維４をその延在する方向に分割（分断）するようにして、複数の空隙５が互いに間隔をあけて形成されている。すなわち、前記金属極細繊維４の相当位置に対応して、互いに離間する複数の空隙５が、全体として線状をなすように延在又は点在して形成されている。尚、前記１つの金属極細繊維４の相当位置に対応して、空隙５が線状をなすように１つだけ形成されていてもよい。
【００３６】
絶縁部Ｉにおいては、これら空隙５が形成されることにより、前記所定方向を向く金属極細繊維４ａ以外の導体である金属極細繊維４が除去されているとともに、前記導電性の２次元ネットワークが部分的に除去されて（消失して）いる。
このように、絶縁部Ｉにおいては、透明基体２から金属極細繊維４ａ以外の金属極細繊維４が除去されている一方、金属極細繊維４ａ同士は互いに絶縁された状態で残存している。
【００３７】
絶縁部Ｉの金属極細繊維４ａが延在する前記所定方向は、例えば、透明導電膜１２、２２の面中心を通る仮想の中心線（図３においては、面中心を通る仮想の水平線）に対して、±３０°の範囲内である。すなわち、前記所定方向が±３０°の範囲内（前記仮想の中心線を中心とした振り幅（面中心回りの回転角度）が片側３０°で、計６０°の範囲内）である場合に、絶縁部Ｉの絶縁性を確保できる。一方、前記所定方向が±３０°の範囲外とされた場合には、金属極細繊維４ａ同士が接触する可能性が高くなり、絶縁部Ｉの絶縁性が確保しにくくなるおそれがある。尚、前記所定方向は、±２０°が好ましく、±１０°がより望ましい。
【００３８】
また、絶縁部Ｉの金属極細繊維４ａは、透明導電膜１２、２２に外部から照射される光線の入射方向に対して、垂直となるように延びている。具体的に、透明配線板１０、２０が入力装置の入力部材１に用いられた本実施形態では、これら透明配線板１０、２０の絶縁部Ｉの金属極細繊維４ａは、室内の天井照明から照射される鉛直方向からの光線に対して垂直となるように、略水平方向に沿って延びている。
【００３９】
次に、本実施形態に係る入力装置の透明配線板を製造する製造装置及び製造方法について説明する。
本実施形態で説明する透明配線板の製造方法では、絶縁基板１１（２１）の一方の面に形成された透明導電層（導電パターン形成前の透明導電膜）ａに極短パルスのレーザ光Ｌを所定のパターンで照射する方法を用いている。
尚、以下の説明において、レーザ加工前における絶縁基板１１（２１）と該絶縁基板１１（２１）の一方の面に形成された透明導電層ａとを有する積層体のことを、透明配線板用積層体Ａという。
【００４０】
まず、本実施形態の透明配線板の製造方法で使用する製造装置４０について説明する。図４に示すように、この製造装置４０は、レーザ光Ｌを発生させるレーザ光発生手段４１と、レーザ光Ｌを集光する集光手段である凸レンズ等の集光レンズ４２と、透明配線板用積層体Ａが載置されるステージ４３と、を備えている。製造装置４０のレーザ光Ｌは、例えば、共振器内に偏光子を配設して特定方向の振動を通すことにより偏光させられているとともに、これを分解した垂直偏波の位相と水平偏波の位相とを、１／４λずつ相対的にずらすことにより、直線偏光及び円偏光のいずれかに設定可能となっている。尚、これら垂直偏波及び水平偏波の位相差を、１／４λの整数倍以外に設定することにより、楕円偏光にも設定可能である。
【００４１】
この製造装置４０におけるレーザ光発生手段４１としては、波長２μｍ未満でパルス幅が２００ｎ秒未満のレーザ光（可視光または赤外線のレーザ光）を発生させるものが使用される。また、容易に利用できる点では、レーザ光Ｌのパルス幅は１〜１００ｎ秒であることが好ましい。
【００４２】
集光レンズ４２は、透明導電層ａと集光レンズ４２との間にレーザ光Ｌの焦点Ｆが位置するように配置される。これにより、絶縁基板１１（２１）及びステージ４３に当たるレーザ光Ｌのスポット径が、透明導電層ａに当たるレーザ光Ｌのスポット径より大きくなり、絶縁基板１１（２１）及びステージ４３に当たるレーザ光Ｌのエネルギ密度が小さくなるため、絶縁基板１１（２１）及びステージ４３の損傷を防止できるとともに、ステージ４３の平面度などに起因する透明導電層ａの厚み方向の位置ずれに対し、照射エネルギ密度の変化を小さく抑えることができる。
【００４３】
集光レンズ４２としては、低い開口数（ＮＡ＜０．３）のものが好ましい。具体的には、集光レンズ４２の開口数がＮＡ＜０．１とされることにより、レーザ光Ｌの照射条件設定が容易となり、特にレーザ光Ｌの焦点Ｆが透明導電層ａと集光レンズ４２との間に位置する場合の該焦点Ｆにおける空気のプラズマ化に伴うエネルギ損失とレーザ光Ｌの拡散を防止することができる。
【００４４】
さらに、透明導電層ａが、例えば金属極細繊維４からなる網状部材３の繊維（素線）間に樹脂からなる透明基体２を充填（含浸）して形成されているとともに、透明樹脂フィルムからなる絶縁基板１１（２１）上に設けられている場合、前述の設定によって、透明導電層ａの透明基体２内に埋設された金属極細繊維４ａ以外の金属極細繊維４を透明基体２の表面から噴出させて確実に除去することができる。従って、所望の絶縁部Ｉの形状に対応して空隙５が確実に形成されることになり、絶縁化処理が確実かつ容易に実現できる。
【００４５】
また、レーザ光Ｌを透明導電層ａ上に照射した照射スポットが、点状ではなく面状に形成されるため、透明導電層ａを加工しつつも絶縁基板１１（２１）に影響を与えないような照射エネルギ密度の制御が、従来の方法に比較して容易となる。さらに、透明導電層ａに対して線幅の太い絶縁パターンを一括して描画することが可能になり、所謂塗りつぶし加工が容易になるとともに、前記絶縁パターンの幅を大きく取ることができることから、絶縁部Ｉの絶縁性が向上する。
【００４６】
また、ステージ４３は、水平方向に２次元的に移動可能になっている。ステージ４３は、少なくとも上面側が透明な部材または光線吸収性を有する部材で構成されていることが好ましい。
ステージ４３は、絶縁基板１１（２１）が透明でレーザ光Ｌの出力が１Ｗを超える場合、ナイロン系の樹脂材料若しくはシリコーンゴム系の高分子材料を用いることが好ましい。
【００４７】
次に、前述した製造装置４０を用いた入力装置の透明配線板の製造方法について説明する。
まず、ステージ４３の上面に透明配線板用積層体Ａを、透明導電層ａが絶縁基板１１（２１）より上に配置されるように載置する。
【００４８】
次いで、レーザ光発生手段４１よりレーザ光Ｌを出射させ、レーザ光Ｌを集光レンズ４２により集光する。その集光したレーザ光Ｌの、焦点Ｆを過ぎてスポット径が広がった部分を透明導電層ａに照射する。その際、ステージ４３を、レーザ光Ｌの照射が所定のパターンになるように移動させる。
【００４９】
透明導電層ａに照射するレーザ光Ｌのエネルギ密度及び単位面積あたりの照射エネルギは、レーザのパルス幅により異なるが、直線描画を行った場合の描画幅が３０μｍの場合において、１パルスあたり３〜３００μＪ、好ましくは１０〜１００μＪ、望ましくは１８〜７０μＪが好適に用いられる。
すなわち、１パルスあたりのエネルギが上記数値範囲よりも小さな値に設定された場合、絶縁部Ｉの絶縁が不十分になるおそれがある。また、上記数値範囲よりも大きな値に設定された場合、加工痕が目立つようになり、透明タッチパネルや透明電磁波シールドなどの用途では不適当となる。
尚、これらの値（上記エネルギ量）は、集光系（集光レンズ４２）を通った後の加工エリアにおけるレーザビームの出力値であり、集光点（焦点Ｆ）近傍の測定が困難であれば、集光系を出た直後のレーザ光Ｌのビーム径が十分に大きい箇所で測定するか、それも困難であれば、集光点を経てビームが適当に拡散した箇所で測定することが可能である。
【００５０】
また、図４に符号Ｄで示されるものは、透明導電層ａの表面（上面）と焦点Ｆとの距離である。距離Ｄは、集光レンズ４２の焦点距離ＦＬの−３％〜３％の範囲内に設定される。好ましくは、距離Ｄは、焦点距離ＦＬの０．５％〜２％の範囲内に設定される。さらに望ましくは、距離Ｄは、焦点距離ＦＬの１．５％〜２％の範囲内に設定される。距離Ｄが上記数値範囲に設定されることにより、絶縁部Ｉにおける金属極細繊維４の除去（空隙５の形成）が確実に行えるとともに電気的に高い信頼性を有する絶縁パターン（導電パターン）を形成でき、かつ、絶縁基板１１（２１）の損傷に起因する加工痕を確実に防止できる。
【００５１】
また、精度の高い導電パターンを形成する点では、透明導電層ａの同一部分にレーザ光Ｌを断続的に複数回照射することが好ましい。具体的には、断続的に３〜５００回照射することが好ましく、２０〜２００回照射することがより好ましい。３回以上の照射であれば、より確実に絶縁化でき、５００回以下であれば、レーザ光Ｌが照射された透明基体２部分の溶解又は蒸発による除去を防止できる。
【００５２】
このようにして、透明導電層ａにパターニングが施され、導電部Ｃと絶縁部Ｉとからなる導電パターンを備えた透明導電膜１２（２２）が形成されるとともに、透明配線板用積層体Ａが、透明配線板１０（２０）とされる。
【００５３】
尚、上記説明においては、ＸＹステージなどの移動式ステージ４３に透明配線板用積層体Ａを載せてパターニングを行うこととしたが、これに限定されるものではない。すなわち、例えば、透明配線板用積層体Ａを固定状態とし、集光系部材を相対的に移動させる方法、ガルバノミラー等を用いてレーザ光Ｌを走査しスキャンする方法、又は、上記したもの同士を組み合わせてパターニングを行うことが可能である。
レーザ光Ｌが円偏光とされ、ガルバノミラーを使用したレーザ加工機で透明配線板１０（２０）を製造する場合、ガルバノミラーの後（レーザ光Ｌの下流側）に１／４λ位相板を設置する。これにより、既存のレーザ加工機を簡単に本用途に使用することが可能である。
【００５４】
上記製造方法に使用される透明配線板用積層体Ａは、以下に示すものである。
透明配線板用積層体Ａの透明導電層ａのうち、網状部材３を構成する無機導電体としては、銀、金、ニッケルなどの金属ナノワイヤが挙げられる。また、透明導電層ａのうち、透明基体２を構成する絶縁体としては、透明な熱可塑性樹脂（ポリ塩化ビニル、塩化ビニル−酢酸ビニル共重合体、ポリメチルメタクリレート、ニトロセルロース、塩素化ポリエチレン、塩素化ポリプロピレン、フッ化ビニリデン）、熱や紫外線や電子線や放射線で硬化する透明な硬化性樹脂（メラミンアクリレート、ウレタンアクリレート、エポキシ樹脂、ポリイミド樹脂、アクリル変性シリケートなどのシリコーン樹脂）が挙げられる。
【００５５】
また、図５は本実施形態の変形例であり、図示の例では、透明配線板用積層体Ａにおける絶縁基板１１（２１）の上下両面に、透明導電層ａが一対設けられている。この場合、集光レンズ４２として焦点距離ＦＬが５０ｍｍ以上で開口数が０．２未満のものを使用すると、レーザ光Ｌの広がりを小さくできる。そのため、レンズの位置調整が容易になるとともに、絶縁基板１１（２１）の両面におけるスポット径の差が小さくなり、両方の透明導電層ａに当たるエネルギ密度が略同等になるため、両面の透明導電層ａに同一の絶縁パターンを一括して形成させることができる。
また、絶縁基板１１（２１）の両面に形成された透明導電層ａのうち、片面側の透明導電層ａのみを絶縁化する場合には、集光レンズ４２として開口数が０．５より大きいものを使用することとしてもよい。
【００５６】
以上説明したように、本実施形態に係る透明配線板１０（２０）及びこれを用いた入力装置によれば、透明導電膜１２（２２）の透明基体２において、導電性を有する網状部材３の配置領域が導電部Ｃとされ、網状部材３が部分的に除去されることにより空隙５が形成されるとともに、所定方向に配向されて残存する金属極細繊維４ａ同士が互いに絶縁して配置された領域が絶縁部Ｉとされている。すなわち、導電部Ｃにおいては、金属極細繊維４同士が連結されてなる網状部材３により導電性が確保されており、絶縁部Ｉにおいては、網状部材３が部分的に除去されて空隙５が形成されることにより、所定方向に沿うように延びる金属極細繊維４ａが形成されつつも、これら金属極細繊維４ａ同士の電気的な絶縁状態が確実に得られるようになっている。
【００５７】
そして、本発明の発明者らは、透明配線板及び入力装置について鋭意研究を重ねた結果、透明配線板１０、２０の絶縁部Ｉにおいて所定方向に延びる金属極細繊維４ａを積極的に残存させることにより、導電パターンを視認しにくくすることができるという知見を得るに至った。
【００５８】
すなわち、本実施形態で説明したように、例えば透明配線板１０、２０がタッチパネル（入力装置）に用いられ、該パネルの厚さ方向が水平方向を向くように操作者に対面して使用される場合においては、図６（参考例）に示されるように、絶縁部Ｉの網状部材３が全て除去され、これに伴い金属極細繊維４が空隙５に全て置き換わるように除去された場合は、タッチパネルのバックライトが点灯していない状態では、天井照明等の鉛直方向からの光線（つまり立設されたタッチパネルに対して斜め上方から照射する光線）によって、タッチパネルの導電パターンが視認されることがあった。これは、タッチパネルに斜め上方から照射される光線に対して、導電部Ｃでは金属極細繊維４が操作者側に向けて光線を反射する一方、絶縁部Ｉでは金属極細繊維４が存在せず空隙５のみのため、操作者側に向けて光線を反射できないことによるもの（或いはヘイズ値の違いによるもの）と考えられる。
一方、図３に示す本実施形態のように、絶縁部Ｉに所定方向（本実施形態では水平方向）に延在する金属極細繊維４ａを残存させた場合は、タッチパネルに対して斜め上方（本実施形態では鉛直方向）から照射される光線に対して、これら金属極細繊維４ａが導電部Ｃの金属極細繊維４同様に操作者側に向けて光線を反射する（或いはヘイズ値の差異が小さくなる）ので、絶縁部Ｉと導電部Ｃとの見かけ上の差異がなくなって、導電パターンが視認されにくくなる。しかも、絶縁部Ｉの金属極細繊維４ａ同士は、所定方向に沿うように配向して延びているから、前述の効果を奏しつつも互いに接触しにくくされており、これにより該絶縁部Ｉにおける絶縁性が確保される。
【００５９】
このように、本実施形態の透明配線板１０、２０及びこれを用いた入力装置によれば、導電パターンが視認されにくく、外観に優れており、かつ、導電部Ｃ及び絶縁部Ｉの電気的特性（性能）が安定して確保されて、製品としての信頼性が高められる。
【００６０】
また、絶縁部Ｉの金属極細繊維４ａが、透明導電膜１２、２２に外部から照射される光線の入射方向に対して垂直となるように延びているので、下記の効果を奏する。
すなわち、室内の天井照明下で使用される場合など、タッチパネルの透明配線板１０、２０に対して一定の方向から外部光線が入射することが明らかな場合には、この外部光線の入射方向に対して垂直となるように絶縁部Ｉの金属極細繊維４ａを延在させることによって、前述の効果をより安定的に得ることができる。
【００６１】
また、網状部材３は、透明基体２内に分散されて互いに電気的に連結された金属極細繊維４からなるので、該網状部材３は、市販の金属ナノワイヤや金属ナノチューブ等の金属極細繊維４を用いて比較的容易に形成できる。
【００６２】
さらに、本実施形態のように、金属極細繊維４に銀を主成分としたものを用いた場合、該金属極細繊維４を比較的容易に入手して網状部材３として用いることができる。また、絶縁部Ｉの網状部材３（金属極細繊維４）をレーザ加工により部分的に除去する際に、市販の一般的なレーザ加工機で対応可能である。また、銀を主成分とする金属極細繊維４は、光線透過率が高く、かつ、表面抵抗率が低い無色透明の導電パターンを形成できることから、より好ましい。
【００６３】
また、レーザ加工機（製造装置）４０として、パルス幅１ｐ秒未満の極短パルスレーザ（フェムト秒レーザ）を用いた場合には、レーザ加工後の透明配線板１０（２０）における導電パターン（絶縁パターン）を確実に目立たなくすることができるので、より望ましい。
【００６４】
また、絶縁部Ｉにおいては、透明基体２が溶けることなく、所定方向に延びる金属極細繊維４ａ以外の金属極細繊維４が除去されて空隙５が形成されている。すなわち、除去された金属極細繊維４に置き換わるように空隙５が形成されることによって、導電部Ｃと絶縁部Ｉとは、互いに色調や透明性が近似することになり、肉眼等によっては互いに判別（視認）されなくなっている。よって、絶縁部Ｉの幅を大きく形成しても配線パターンが視認されるようなことがない。
【００６５】
尚、本発明は前述の実施形態に限定されるものではなく、本発明の趣旨を逸脱しない範囲において種々の変更を加えることができる。
例えば、前述の実施形態では、絶縁基板１１、２１がともに透明であることとしたが、これら絶縁基板１１、２１のいずれか又は両方にある程度の透明性を有した着色が施されていても構わない。
【００６６】
また、透明配線板１０、２０には、粘着、反射防止、ハードコート及びドットスペーサなどの機能層を任意で付加することとしてもよい。
特に、ＹＡＧレーザやＹＶＯ４レーザの基本波など波長が１０００ｎｍ近辺のレーザを用いるとともに、上記機能層として、アクリル系高分子素材を使用する場合には、外観特性の観点から、レーザ照射後に機能層を設けることが好ましい。
【００６７】
また、前述の実施形態では、絶縁部Ｉの金属極細繊維４ａ以外の金属極細繊維４を除去することにより空隙５を形成することとしたが、これに限定されるものではない。すなわち、例えば、絶縁部Ｉにおいて金属極細繊維４ａ以外の金属極細繊維４を除去するとともに、該金属極細繊維４に対応する透明基体２部分を溶かすことにより、該絶縁部Ｉに空隙５を形成することなく金属極細繊維４ａのみを残存させることとしても構わない。ただし、絶縁部Ｉに空隙５を形成することによって、前述した効果が得られることから好ましい。
【００６８】
また、前述の実施形態では、タッチパネルに照射される外部光線の入射方向が、鉛直方向のうち天井照明等による上方からのものとしたが、これに限定されるものではなく、鉛直方向のうちアッパーライト等による下方からのものであってもよい。また、外部光線の入射方向は、鉛直方向以外の例えば水平方向からであってもよく、この場合、絶縁部Ｉの金属極細繊維４ａの延在方向は鉛直方向に沿うように設定される。
【００６９】
また、前述の実施形態では、透明配線板１０、２０を抵抗膜式のタッチパネルに用いることとしたが、これに限定されるものではなく、該透明配線板１０、２０を静電容量式のタッチパネルに用いてもよい。
【００７０】
その他、本発明の前述の実施形態等で説明した構成要素を、適宜組み合わせても構わない。また、本発明の趣旨を逸脱しない範囲において、前述の構成要素を周知の構成要素に置き換えることも可能である。
【実施例】
【００７１】
以下、本発明を実施例により具体的に説明する。ただし、本発明はこの実施例に限定されるものではない。
【００７２】
[実施例１]
厚さ１００μｍの透明なポリエステル（ＰＥＴ）フィルム（絶縁基板１１、２１）に、Ｃａｍｂｒｉｏｓ社のＯｈｍ（商品名）インク（金属極細繊維４）を塗布乾燥後、紫外線硬化性のポリエステル樹脂インク（透明基体２）を上塗りして、乾燥・紫外線処理を施すことにより、ＰＥＴフィルム上に線径５０ｎｍ程度、長さ１５μｍ程度の銀繊維（金属極細繊維４）からなる導電性の２次元ネットワーク（網状部材３）を有する耐摩擦性の透明導電層ａを形成した（図２を参照）。
【００７３】
この銀ナノワイヤ導電フィルム（透明配線板１０、２０）の透明導電層ａの表面抵抗は、２３０Ω／□、光線透過率は９５％であった。
次いで、この銀ナノワイヤ導電フィルムを、長さ８０ｍｍ、幅５０ｍｍの長方形に切断加工し、銀ナノワイヤ導電フィルム試験片とした。
【００７４】
波長７３０ｎｍ、パルス幅１３０ｆ秒、繰り返し周波数１ｋＨｚ、ビーム径５ｍｍの直線偏光のフェムト秒レーザ（製造装置４０）を用い、焦点距離ＦＬ＝１００ｍｍの集光レンズ４２と、照射領域のサイズが５０×５０ｍｍのガルバノミラーとを設け、ストローク２００×２００ｍｍのＸＹステージに設けた載置台（厚さ５ｍｍのナイロン板）上に前記銀ナノワイヤ導電フィルムの試験片を配置した（図４を参照）。この試験片における透明導電層ａの表面から集光レンズ４２側に向かって１．５ｍｍ離間した位置にレーザ光Ｌの焦点Ｆが設定されるように調整した後、集光点を１ｍｍ／秒で試験片の幅方向に横断させるように移動して、直線描画（絶縁パターンの形成）を行った。
この時、集光点（焦点Ｆ）よりレンズ側７０ｍｍの位置における出力は１０ｍＷであった。
【００７５】
次いで、この試験片における照射面（レーザ照射領域）を走査型電子顕微鏡で観察し、絶縁部Ｉに残存する銀ナノワイヤ（金属極細繊維４ａ）が配向する方向（所定方向）を確認するとともに、その方向を載置台に記入した。
【００７６】
次いで、絶縁部Ｉに残存する銀ナノワイヤ４ａの配向方向（平均的な配向の向き）がタッチパネルのＸ方向と一致するように、銀ナノワイヤ導電フィルム（１５０×１５０ｍｍの透明配線板）を載置台に載せ、さらに照射パターンを回転させることで、残存する銀ナノワイヤ４ａの前記配向方向と入力装置のＸ方向とのなす角度が２０度以内になるように調整した。この状態で、前述したレーザ照射条件により照射を行い、Ｘ側、Ｙ側の透明配線板１０、２０を得た。
そして、これら透明配線板１０、２０同士を透明な両面粘着フィルムで貼り合わせ、静電容量式のタッチパネルを製造した。
【００７７】
このタッチパネルに対して、パネル厚さ方向に対して３０度傾斜した角度から白色ＬＥＤ懐中電灯の外部光線を照射したところ、Ｘ方向やＸＹ方向（Ｘ方向及びＹ方向の中間を通る斜め方向）からの照射では配線パターンが視認されたものの、Ｙ方向からの照射に対して配線パターンは視認されなかった。すなわち、天井照明など室内に据え付けられた一定の方向（Ｙ方向）からの外部光線に対しては、タッチパネルの配線パターンが視認されにくいことが確認できた。
【００７８】
[実施例２]
円偏光の市販のレーザ加工機（波長１０６４ｎｍ、出力１２Ｗ、パルス幅２０ｎ秒、繰り返し周波数１００ｋＨｚ、ビーム径６．７ｍｍのＹＶＯ４レーザである製造装置４０）を用い、焦点距離ＦＬ＝３００ｍｍの集光レンズ４２とガルバノミラーを使用して、ジュラコン（登録商標）上に前記銀ナノワイヤ導電フィルムの試験片を配置した。この試験片における透明導電層ａの表面から集光レンズ４２側に向かって１ｍｍ離間した位置にレーザ光Ｌの焦点Ｆが設定されるように調整した後、集光点を１００ｍｍ／秒で試験片の幅方向に横断させるように移動して、直線描画を行った。それ以外は、実施例１と同様の条件として、タッチパネルを製造した。
【００７９】
このタッチパネルに対して、パネル厚さ方向に対して３０度傾斜した角度から白色ＬＥＤ懐中電灯の外部光線を照射したところ、実施例１と同様の結果が得られた。
【００８０】
[比較例]
波長１０．６μｍ、出力１５Ｗの炭酸ガスレーザ（連続発振）を用い、焦点距離ＦＬ＝３００ｍｍの集光レンズ４２とガルバノミラーを使用して、試験片における透明導電層ａの表面から集光レンズ４２側に向かって３ｍｍ離間した位置にレーザ光Ｌの焦点Ｆが設定されるように調整した後、集光点を３００ｍｍ／秒で試験片の幅方向に横断させるように移動して、直線描画を行った。それ以外は、実施例１と同様の条件として、タッチパネルを製造した。
【００８１】
このタッチパネルに対して、パネル厚さ方向に対して３０度傾斜した角度から白色ＬＥＤ懐中電灯の外部光線を照射したところ、Ｘ方向、Ｙ方向、ＸＹ方向からの全ての照射において配線パターンが視認された。
特に、この比較例においては、各透明配線板１０、２０単体としてよりも、両面粘着フィルムによりこれら透明配線板１０、２０同士が互いに貼り合わされ、タッチパネルとなったときに、配線パターンがより顕著に視認されやすいことがわかった。
尚、このタッチパネルのレーザ照射領域を走査型電子顕微鏡で観察したところ、銀ナノワイヤ４が全て除去されているとともに透明基体２が溶けていて、空隙５は存在しなかった。
【符号の説明】
【００８２】
１  入力部材
２  透明基体
３  網状部材
４  金属極細繊維（金属繊維）
４ａ  絶縁部において所定方向に延びる金属極細繊維（金属繊維）
５  空隙
１０、２０  透明配線板
１１、２１  絶縁基板（基材）
１２、２２  透明導電膜
Ｃ  導電部
Ｉ  絶縁部
【図４】
2013097996.tif 000003
【図５】
2013097996.tif 000004
【図７】
2013097996.tif 000005
【図１】
2013097996.tif 000006
【図２】
2013097996.tif 000007
【図３】
2013097996.tif 000008
【図６】
2013097996.tif 000009
【図８】
2013097996.tif 000010
【図９】
2013097996.tif 000011
【図１０】
2013097996.tif 000012